(57)【特許請求の範囲】
【請求項１】
センサユニットの前方外側部分をパッキン内側部分に圧入し、パッキン外側部分をケース本体の開口部に圧入することで、開口部内に前記センサユニットを固定すると共に、前記パッキン外側部分と前記開口部との間、前記センサユニットの前方周縁と前記パッキン内側部分との間で前記ケース本体の密封を行うようにし、
前記パッキン内側部分が、前記センサユニットの前記前方外側部分を圧入し仮固定できる形状であることを特徴とするセンサ付き電子機器。
【発明の詳細な説明】
【０００１】
【発明の属する技術分野】
この発明は、部品点数および組立工程の削減を可能にするセンサ付き電子機器に関する。
【０００２】
【従来の技術】
図３は、従来のセンサ付き電子時計の一例を示す一部断面図である。このセンサ付き電子時計３００では、ケース本体３０１にセンサユニット３０２を収容する開口部３０３を形成した構造であり、この開口部３０３内にはセンサユニット３０２の深さ方向で支える内段部３３１が形成されている。また、この内段部３３１の直上には、センサ嵌合部３３２、斜面３３３およびリング圧入部３３４が設けられている。さらに、前記内段部３３１にはパッキング溝３３５が形成されており、このパッキング溝３３５内にはパッキング３０４が配置されている。
【０００３】
センサユニット３０２を組み付けるには、まず、この開口部３０３に、前記斜面３３３およびセンサ嵌合部３３２をガイドとしつつセンサユニット３０２を挿入する。続いて、止めリング３０５をリング圧入部３３４に圧入し、内つば部３５１をセンサユニット３０２の上面に係止する。この状態で止めリング３０５を押し込むと、センサユニット３０２の下面とパッキング溝３３５に挟まれてパッキング３０４が圧縮状態になる。これにより、センサユニット３０２を固定すると同時に、ケース本体３０１を密封して防水機能を得ることができる。なお、開口部３０３の前面には断続的に窓３６１を設けた保護板３０６が取り付けられる。
【０００４】
【発明が解決しようとする課題】
しかしながら、上記従来のセンサ付き電子時計３００では、センサユニット３０２の固定を、止めリング３０５を用いて行い、ケース本体３０１の密封をパッキング溝３３５とパッキング３０４により行うため、部品点数が多くなるという問題点があった。また、予めパッキング溝３３５内にパッキング３０４を配置し、センサユニット３０２を挿入した後、止めリング３０５で固定するため、組立工程が複雑になるという問題点があった。
【０００５】
そこで、この発明は、上記に鑑みてなされたものであって、部品点数および組立工程の削減を可能にするセンサ付き電子機器を提供することを目的とする。
【０００６】
【課題を解決するための手段】
この発明では、センサユニットの前方外側部分をパッキン内側部分に圧入し、パッキンの外側部分をケース本体の開口部に圧入することで、開口部内にセンサユニットを固定すると共に、パッキン外側部分と開口部との間、センサユニットの前方周縁とパッキン内側部分との間でケース本体の密封を行うようにしている。このため、センサユニットの固定および密封のために必要な別体となる部品はパッキンのみになる。また、パッキンの内側部分がセンサユニットの前方外側部分を圧入し仮固定できる形状であれば、先に、パッキンにセンサユニットを圧入して密封・仮固定しておき、パッキンにセンサユニットを仮固定した状態でパッキンを開口部に圧入し、センサユニットの固定および密封を行うことが可能になる。
【０００７】
【発明の実施の形態】
以下、この発明につき図面を参照しつつ詳細に説明する。なお、この実施の形態によりこの発明が限定されるものではない。
実施の形態１．
図１は、この発明の実施の形態１にかかるセンサ付き電子時計を示す一部断面図である。このセンサ付き電子時計１００は、ケース本体１に開口部２が形成されており、この開口部２に圧力センサユニット３を収容した構造になっている。圧力センサユニット３は、半導体結晶に外圧が加わることによるピエゾ抵抗効果により内部抵抗が大きく変化することを利用したものであって、ダイヤフラム部に半導体ひずみゲージによるホイートストンブリッジ回路を形成し、パッケージングしたものである。
【０００８】
開口部２には内段部２１が形成されており、この内段部２１が圧力センサユニット３の下面３１に当接することによって圧力センサユニット３の挿入深さを調節するようにしている。また、開口部２の入口側にはパッキン４を圧入する圧入部２２が設けられている。この圧入部２２の下方には斜面２３が形成され、続いて圧力センサユニット３のガイド面２４が形成されている。ガイド面２４と圧力センサユニット３の外周面３２とは、すきまばめとなる。なお、圧力センサユニット３から導出する接続基板は、連通口２５を通って時計モジュールの回路基板に接続されている（図示省略）。
【０００９】
パッキン４はその外周面４１で圧入部２２に圧入されており、パッキン４と圧入部２２とのはめあいは、しまりばめとなっている。また、パッキン４の内側には、圧力センサユニット３の上面段部３３に当接する段部４２が形成されている。この段部４２は、圧力センサユニット３の外形に対応して設けたものであり、かかる外形以外の圧力センサユニットを用いる場合には異なる形状をパッキン内側に形成するようにする。また、パッキン４の内側面４４と圧力センサユニット３の外周面４２とのはめあいも、しまりばめとなる。パッキン４のうち圧力センサユニット３の検知面３４と対向する部分には、測定用の窓４５が形成されている。
【００１０】
パッキン４は、圧入部２２と圧力センサユニット３に圧入するため、プラスチック製とするのが好ましい。例えばポリエチレン、ポリ塩化ビニル、ポリプロピレン、ポリスチレンなどの熱可塑性樹脂や、フェノール樹脂、不飽和ポリエステル樹脂、メラミン樹脂、、エポキシ樹脂およびシリコン樹脂などの熱硬化性樹脂、ポリアミド、ポリカーボネート、ポリアセタール、飽和ポリエステルなどのエンジニアリングプラスチックを用いることができる。また、アクリロニトリルブタジエンゴム、多硫化ゴム、アクリルゴム、フッ素ゴム、シリコンゴムなどの特種ゴム製とすることもできる。
【００１１】
つぎに、センサ付き電子時計１００の組立工程について説明する。まず、圧力センサユニット３の前方外周面３５をパッキン４の内側面４４に圧入する。両者はしまりばめとなっているから、パッキン４を押し込むことによって互いに固定されると共に密着性を確保することができる。圧力センサユニット３を仮固定したら、つぎに、圧力センサユニット３ごとパッキン４を開口部２に圧入する。パッキン４の外周面４１と圧入部２２とはしまりばめとなっていから、パッキン４を押し込むことによって双方が強固に固定される。また、パッキン４を押し込むことにより、圧力センサユニット３の下面３１が内段部２１に当接し、上面段部３３はパッキン４の段部４２に当接するから、これにより圧力センサユニット３が位置決め固定される。さらに、パッキン４を圧入することによって圧入部２２と圧力センサユニット３との間隔が狭まるから、圧入部２２とパッキン４の外周面４１との間、パッキン内周面４４と圧力センサユニット３の前方外周面３５との間がさらなる加圧状態になって、完全な密封を得ることができる。
【００１２】
以上、このセンサ付き電子時計１００では、従来のような止めリングやパッキング溝およびパッキングを用いず、固定と密封の両機能を備えたパッキン４を用いることで圧力センサユニット３の固定と密封を行う。このため、部品点数が少なくて済む。また、パッキン４に圧力センサユニット３を仮固定してから、パッキン４ごと開口部２に圧入できるから、製造工程を削減できる。
【００１３】
なお、上記では圧力センサユニット３を用いているがこれに限定されず、例えば振り子の板バネに金属ひずみゲージを設けた加速度センサや、パルスエコー方式などの原理を利用した距離センサ、光電効果を利用した光センサ、ホール効果を利用した磁気センサ、バイメタルやサーミスタを用いた温度センサなどの場合でも同様の効果を奏する。また、上記構成を適用できるのは電子時計に限定されず、例えば携帯電話、携帯ゲーム機、小型計測器、モバイルコンピュータなどにも適用可能である。
【００１４】
実施の形態２．
図２は、この発明の実施の形態２にかかるセンサ付き電子時計を示す一部断面図である。このセンサ付き電子時計２００は、圧力センサユニット２０３の前方周縁の形状が実施の形態１の圧力センサユニットと異なる。このため、パッキン２０４の内側形状も圧力センサユニット２０３に合わせたものとなっている。圧力センサユニット２０３の前方周縁には、つば部２３１が設けられている。一方、つば部２３１を係止するため、パッキン２０４の内側には斜面２４１が形成されている。
【００１５】
圧力センサユニット２０３は、パッキン２０４を広げつつ斜めから押し入れて仮固定する。このとき、圧力センサユニット２０３のつば部２３１が斜面２４１に当たるから、パッキン２０４が広がりやすい。仮固定することで、圧力センサユニット２０３の上面端縁２３２がパッキン２０４の段部２４２に当接し、位置決めされる。また、つば部２３１の外周面２３３とパッキン２０４の内周面２４３とのはめあいは、しまりばめになっているから、圧力センサユニット２０３を押し入れることによって互いに固定されると共に密着性を確保することができる。
【００１６】
圧力センサユニット２０３を仮固定したら、つぎに、圧力センサユニット２０３ごとパッキン２０４を開口部２０２に圧入する。パッキン２０４の外周面２４４と圧入部２２１とはしまりばめとなっていから、パッキン２０４を押し込むことによって双方が強固に固定される。また、パッキン２０４を押し込むことにより、圧力センサユニット２０３の下面２３２が内段部２２２に当接し、上面はパッキン２０４の段部２４２に当接するから、これにより圧力センサユニット２０３が位置決め固定される。さらに、パッキン２０４を圧入することによって圧入部２２１と圧力センサユニット２０３との間隔が狭まるから、圧入部２２１とパッキン２０４の外周面２４４との間、パッキン内周面２４３と圧力センサユニット２０３の外周面２３３との間がさらなる加圧状態になって、完全な密封を得ることができる。
【００１７】
【発明の効果】
以上説明したように、この発明のセンサ付き電子機器によれば、パッキン外側部分と開口部との間、センサユニットの前方周縁とパッキン内側部分との間でケース本体の密封を行うようにしたので、部品点数を削減できる。また、先にパッキンにセンサユニットを圧入して密封・仮固定しておくことで、製造工程を削減できる。
【図面の簡単な説明】
【図１】この発明の実施の形態１にかかるセンサ付き電子時計を示す一部断面図である。
【図２】この発明の実施の形態２にかかるセンサ付き電子時計を示す一部断面図である。
【図３】従来のセンサ付き電子時計の一例を示す一部断面図である。
【符号の説明】
１００    センサ付き電子時計
１    ケース本体
２    開口部
３    圧力センサユニット
４    パッキン
【図１】
0003750895.tif 000002
【図２】
0003750895.tif 000003
【図３】
0003750895.tif 000004